(57)【要約】本発明は、混練物（８）を保持するドラム（２）であって、フレーム（１）の上に回転可能に配置されたドラムと、回転軸（４）を中心に前記ドラム（２）を回転させる駆動装置（３）とを具えるドラム型ミキサに関し、当該ミキサには、ドラム（２）の前側投入開口（５）を介して取り出し開口（７）によってドラム（２）から混練物（８）を受け取る取り出しライン（６）が設けられている。この目的のために、本発明では、フレーム（１）に連結された支持ロッド（９）が設けられており、このロッドに対して、ドラム（２）の混練物（８）中に突出している取り出しライン（６）が、好ましくは堅固に、少なくとも部分的に力が取り去られるように固定されている。【選択図】    図１
2009500168.tif 000002
【特許請求の範囲】
【請求項１】
フレームの上に回転可能に支軸された混練物用のドラムと、該ドラムをその回転軸で回転させる駆動装置を具え、ドラム端部の投入口から入っておりその取入口でドラム内の混練物を取り出せるように排出管を構成したドラム型ミキサにおいて、当該ミキサがフレーム（１）に連結した支持ロッド（９）を具え、該支持ロッド（９）が、ドラム（２）中の混練物（８）に突き入れた排出管（６）と、少なくても部分的に力を打ち消すようとりわけ堅固に、ドラム（２）の内部で連結されていることを特徴とするドラム型ミキサ。
【請求項２】
請求項１に記載のドラム型ミキサにおいて、パイプ状で、基本的に前記ドラム（２）の回転軸線（４）に沿って延在する支持ロッド（９）の一端が前記フレーム（１）と連結されており、他端が前記ドラム（２）の投入口（５）と反対側の内壁に回転可能に支持されていることを特徴とするドラム型ミキサ。
【請求項３】
請求項１又は２に記載のドラム型ミキサにおいて、前記排出管（６）がその取入口（７）領域で前記支持ロッド（９）と堅固に連結されていることを特徴とするドラム型ミキサ。
【請求項４】
請求項１乃至３のいずれか１項に記載のドラム型ミキサにおいて、前記混練物（８）を吸引したり、前記混練物（８）を運搬する排出管（６）が、その取入口（７）がドラム（２）の下部エリアに突き入れられていることを特徴とするドラム型ミキサ。
【発明の詳細な説明】
【技術分野】
【０００１】
この発明は、フレームの上で回転するように支持される混練物用のドラムと、該ドラムを回転軸上で回転させる駆動装置を具えるドラム型ミキサに係るものである。ドラム端部に設けられた開口部は、ミキサで攪拌する材料を投入するための投入口であると同時に、処理された混練物を取り出すための排出口としても用いられ、先端に取入口を有する排出管が設けられており、ドラム内の混練物をそこから取り出すように構成されている。
【０００２】
攪拌中でもドラム型ミキサの中味を取り出すことができるようにすることは、従来技術においても公知であり（ＵＳ５２４９８６０Ａ）、その場合、排出管をドラム内の混練物に突き入れてこれを取り出すようになっており、上方に向けて開口した排出管にスクリュコンベアが装備されている。このような装置において不都合なことは、ドラム側壁に付けられた攪拌エレメントが混練物を排出管に運ばなければならないために、ドラムの攪拌室内部が攪拌エレメントによって細かく仕切られていることである。その結果として、混練物の均質な攪拌が保証されず、混練物がとりわけ攪拌しにくい物である場合には、そのようなドラム型ミキサを用いることは無理である。加えて、攪拌エレメントは混練物を運ぶと云う付随的な役割も担っているために比較的頑丈に作られていなければならず、構造の面からもコストがかかることになる。
【０００３】
そこで、攪拌しにくい混練物の場合でも均質に処理を行って取出すことができるように、構造的に簡易な方法で構成される冒頭に述べたようなドラム型ミキサを提供することが本発明の課題である。
【０００４】
本発明は、フレームの一部に装架された支持ロッドを具え、該支持ロッドは、ドラム内部で混練物に突き入れた排出管と連結されてこれを支持しており、少なくても部分的に力が懸らないよう、とりわけ堅固に連結されるようにすることで、この課題を解決するものである。
【０００５】
フレームで支えられた支持ロッドを具え、少なくとも部分的に力が懸らないよう、ドラム内部で混練物に突き入れた排出管ととりわけ堅固に連結されてそれを支持しているので、排出管に大きな攪拌力が懸った場合でも心配が無くなり、攪拌中でもドラム内の混練物の中に排出管を突き入れておくことが可能である。これによって従来技術とは異なり、排出管によって混練物の取出しができるので、混練物を運び出すために攪拌エレメントは必須なものではなくなり、ドラムの攪拌室を細かく仕切る必要も無くなる。従って、攪拌しにくい混練物もドラム型ミキサで処理できるようになり、これはドラム型ミキサにはことのほか好ましい。加えて、頑丈に作るべき攪拌エレメントを省略できるので、構造が簡易なものになるため、本発明によるミキサの製作はコスト面でことのほか有利となる。
【０００６】
支持ロッドは、パイプ状をしており、基本的にドラムの回転軸線に一致するように配置されており、一方の端部をフレームに支持し、他方の端部を投入口の反対側となるドラム内壁で回転可能に支持することによって、単純な構造が成立する。これによって排出管にかかる攪拌力がドラムを経由して逃げることになり、これが支持ロッド構造に関わるコストを緩和する。
【０００７】
排出管の強度に関する構造的なコストを減少させるため、排出管は取入口に近い部分で支持ロッドと堅固に連結することができる。その結果、排出管に対して最強の機械的強度を求める原因である攪拌力を、まさに消失させることができる。
【０００８】
混練物を吸込みあるいは搬出する排出管が、その取入口と共にドラムの下部に突き入れられており、これによって、単純な構造関係でドラムを空にすることができる。 
【０００９】
図面においては、例えば一の実施例に基づいて本発明の対象を示しており、本発明によるドラム型ミキサの側面図が部分的な略図で示されている。
【００１０】
図に示す実施例によれば、ドラム型ミキサはフレーム１の上に回転可能に支軸されたドラム２を具える。ここではフレーム１が走行式のトレーラとして形成されている。ドラム２は駆動装置３に連結されており、水平方向に対して傾斜した回転軸線４を中心にドラム２を回転させる。ドラム２の内部には排出管６が端部の投入口５から入っており、中味を取り出すことができるように、混練物８の中にその取入口７を突き入れた状態で配置されている。ドラム２の内部には、フレーム１に支持された支持ロッド９が掛け渡されており、このロッドに排出管６がドラム２内で堅固に連結されている。これによって従来技術とは逆に、排出管６に高い曲げ強度を持ったものを用いなくても、ドラム２の混練物８の中で安定して保持される。この構造上のコスト低減と並んで、ドラム回転数が最大に変動しても、排出管６は均質に混練された混練物８を問題無く取り出すことができる。なぜならば混練物８の攪拌動作による力は、その殆どが支持ロッド９によって取り去られてしまうからである。
【００１１】
パイプ状の支持ロッド９の一端は、ドラム２内部の投入口５の反対側でドラム軸受１０に回転可能に連結されている。ここでは構造的に簡単にするために、支持ロッド９はドラム２内部でドラム２の回転軸線４と同じ位置に設けられている。また、支持ロッド９の他端はフレーム１に固定され、溶接されている。
【００１２】
排出管６は、取入口７の付近で支持ロッド９と堅固に連結されており、支持ロッド９はそのために曲げ強度の高い固定具１１を用いて排出管６に溶接されている。これによって取入口７をドラム２内の混練物８の中においても正確な位置に保持することができる。ここでは細部を示していないが、排出管６の位置をドラム２内部で可変にするために、固定具１１に代えて油圧式のアジャストシリンダを用いるようにしてもよい。
【００１３】
排出管６は取入口７と共にドラム２の下部に突き入れられており、ここでは、混練物８の均質な攪拌するためにドラム回転数を配慮する必要がなく、排出管６が混練物８をポンプで吸うか、及び／又は、スクリュコンベアで運ぶようにすることができる。
【図１】
2009500168.tif 000003
【国際調査報告】
2009500168.tif 000004
2009500168.tif 000005
2009500168.tif 000006
2009500168.tif 000007